(57)【特許請求の範囲】
【請求項１】
地下に埋設された埋設管を有するガス導管網の任意の地点で前記埋設管の供給圧力を測定するための圧力測定装置であって、
地上に設けられる圧力測定部と、
前記埋設管と前記圧力測定部とを接続するとともに地上に現れた部分に弁を有し、前記弁の開閉により前記埋設管から前記圧力測定部へのガスの導通を開始または遮断することのできる導圧管と、
前記圧力測定部を制御するため地上に設けられる制御部と、
前記圧力測定部を収納する圧力測定室およびこの圧力測定室から分離されるとともに前記制御部を収納する制御室を有する保護ケースと、
内部に中空部を有し、前記導圧管の地上に現れた部分と前記弁とを前記中空部内に収納するとともに前記保護ケースを支持する柱管部と、
前記柱管部を支持するため地下に設けられる支持基礎と
を備えたことを特徴とする圧力測定装置。
【請求項２】
前記圧力測定部および前記制御部に電力を供給するため前記柱管部の外表面に沿って設けられた電力線と、
前記制御部と外部との通信を可能とするため前記柱管部の外表面に沿って設けられた電話線と
を備えたことを特徴とする請求項１記載の圧力測定装置。
【請求項３】
前記制御室には、外部との通信のための、電波を通過させることのできる窓が設けられている
ことを特徴とする請求項１記載の圧力測定装置。
【請求項４】
前記柱管部を支持するための支持部が地表面に設けられており、
前記柱管部は、可倒であるように前記支持部に対して固定される
ことを特徴とする請求項１記載の圧力測定装置。
【請求項５】
前記導圧管は前記埋設管から前記支持基礎を貫通して前記柱管部に収納されるように設けられている
ことを特徴とする請求項１記載の圧力測定装置。
【発明の詳細な説明】
【０００１】
【発明の属する技術分野】
本発明は、ガス導管網末端での供給圧力を測定するための圧力測定装置に関する。
【０００２】
【従来の技術】
ガス導管網の末端での供給圧力を測定するため、従来より、地下に埋設されている埋設管からガスを地上に導いて圧力を測定する圧力測定装置が用いられている。このような圧力測定装置は、需要家の家屋敷地内に設置される場合もあるが、公道の隅などの公共の土地に設置される場合もあり、種々の目的に利用される。例えば、米国では、このような圧力測定装置を用いてガスの供給圧力の季節調整を自動化した例が報告されている（Benefits & Methods for Automation of District Regulators, http://griweb.gastechnology.org/pub/oldcontent/tech/dist/aga/aga97.htm）。
【０００３】
図６は、従来より用いられている圧力測定装置の概略構成の一例を表している。この従来の圧力測定装置１１０では、地中に埋め込まれたコンクリート製の支持基礎１１１から例えば１本の支持柱１１３が立設されており、この支持柱に取り付けられた保護ケース１１４内に圧力センサ１１５が収納されている。ガスは地中に埋設された埋設管１１６から導圧管１１７を通って圧力センサ１１５に導かれる。導圧管１１７には弁１１７Ａが設けられており、弁１１７Ａの開閉によりガスの導通を制御することができる。また、保護ケース１１４内には、圧力センサ１１５や弁１１７Ａを制御するための制御盤１１８や電源１１９等も設置されている。
【０００４】
【発明が解決しようとする課題】
しかしながら、このような圧力測定装置１１０では、支持柱１１３は保護ケース１１４を支持する役割しか持たず、導圧管１１７の地上に現れる部分１１７Ｂや弁１１７Ａが露出した構成となっている。そのため、特に歩道など公共の土地に設置された場合、歩行者がつまづいて怪我をするなどの虞がある上、故意に破損されてしまう虞もある。また、美観上も好ましくない。このような問題を避けるため重厚なケースで保護しようとすると、重量が大きくなり、材料費や工事費がかさむ割に美観を損なう仕上がりになりがちである。
【０００５】
また、圧力センサ１１５と制御盤１１８および電源１１９等とが単一の保護ケース１１４内に収納された従来の構成では、圧力センサ１１５だけでなく、制御盤１１８や電源１１９などの電気機器も同一空間に配置されるため、安全性に問題があった。
【０００６】
本発明はこのような問題点に鑑みてなされたもので、その目的は、単純な構成で、安全性を高めた圧力制御装置を提供することにある。
【０００７】
【課題を解決するための手段】
本発明による圧力制御装置は、地下に埋設された埋設管を有するガス導管網の任意の地点で埋設管の供給圧力を測定するためのものであって、地上に設けられる圧力測定部と、埋設管と圧力測定部とを接続するとともに地上に現れた部分に弁を有し、弁の開閉により埋設管から圧力測定部へのガスの導通を開始または遮断することのできる導圧管と、圧力測定部を制御するため地上に設けられる制御部と、圧力測定部を収納する圧力測定室およびこの圧力測定室から分離されるとともに制御部を収納する制御室を有する保護ケースと、内部に中空部を有し、導圧管の地上に現れた部分と弁とを中空部内に収納するとともに保護ケースを支持する柱管部と、柱管部を支持するため地下に設けられる支持基礎とを備えたものである。
【０００８】
本発明の圧力制御装置は、また、圧力測定部および制御部に電力を供給するため柱管部の外表面に沿って設けられた電力線と、制御部と外部との通信を可能とするため柱管部の外表面に沿って設けられた電話線とを備えていてもよい。そして、制御室には、外部との通信のための、電波を通過させることのできる窓を設けるようにしてもよい。
【０００９】
本発明の圧力制御装置は、さらに、柱管部を支持するための支持部が地表面に設けられており、柱管部は、可倒であるように支持部に対して固定されるようにしてもよい。また、導圧管は、埋設管から支持基礎を貫通して柱管部に収納されるように設けられていてもよい。
【００１０】
本発明による圧力測定装置では、導圧管の弁が開かれると、ガスは地下に埋設された埋設管から導圧管を通って圧力測定室に到達し、圧力測定室内に収納された圧力測定部において供給圧力が測定される。導圧管の地上に現れた部分および弁は柱管部の中空部内に収納されているので、すっきりした外観の単純な構成となり、公道上に設置されても歩行者がつまづいて怪我をしたり故意に破損されたりする虞がない。また、保護ケースは、圧力測定部を収納する圧力測定室と制御部を収納する制御室とを分離した構成としたので、制御部の電気機器がガスに晒されることがなく、安全性が高い。
【００１１】
【発明の実施の形態】
以下、本発明の実施の形態について図面に基づいて詳細に説明する。
【００１２】
図１は、本発明の一実施の形態に係る圧力測定装置の全体的な外観を表している。この圧力測定装置１０は、ガス導管網の末端での供給圧力を測定するために、例えば公道の隅などに立設されるものである。圧力測定装置１０は、コンクリート製の支持基礎１１上に設置された支持部１２に、例えば金属製のポール（柱管部）１３を取り付けた構成を有している。ポール１３の適当な高さ位置に、圧力センサ等を収納するための保護ケース１４が固定および支持されている。ガスは地中に埋設された埋設管１６から、導圧管１７を通って保護ケース１４内の圧力センサに導かれる。導圧管１７には弁１７Ａが設けられており、弁１７Ａの開閉によりガスの導通を開始または遮断することができる。
【００１３】
ポール１３は、地表面ＧＬに近い下部ポール１３Ａと、下部ポールよりも細い上部ポール１３Ｂとから構成され、全体の長さは例えば数ｍ、直径は例えば１０数ｃｍ程度である。下部ポール１３Ａおよび上部ポール１３Ｂは、図２に示したように、内部が中空部１３Ｃとなっている。この中空部１３Ｃには、導圧管１７の地上に現れた部分１７Ｂと弁１７Ａとが収納されている。中空部１３Ｃ内に収納された導圧管１７は、通常、下部ポール１３Ａの地表面ＧＬ近くに設けられた開閉可能なのぞき窓１３Ｄを外してのみ見ることができる。のぞき窓１３Ｄは、下部ポール１３Ａの一部に形成されており、例えば金属により構成されている。
【００１４】
なお、導圧管１７は、支持基礎１１および支持部１２を貫通してポール１３に収納されるように配設されており、支持基礎１１は導圧管１７の保護機能も兼ねている。
【００１５】
上部ポール１３Ａの頂部は、ポール１３の内部の中空部に雨水などが入り込まないようにキャップ１３Ｅにより覆われている。キャップ１３Ｅ付近には、図示しない付近の既設の電柱から電力線１３Ｆおよび電話線１３Ｇが接続されている。電力線１３Ｆおよび電話線１３Ｇは、上部ポール１３Ｂの中空部１３Ｃ内ではなく、上部ポール１３Ｂの外表面１３Ｈに沿って配設され、保護ケース１４内に収納されている圧力センサ等に接続される。
【００１６】
図３は、保護ケース１４の外観を表し、（Ａ）は平面図、（Ｂ）は正面図、（Ｃ）は右側面図である。図４は、保護ケース１４の内部の概略を示す正面図である。保護ケース１４は、図３（Ａ）および図３（Ｃ）に示したように、例えば２枚の金属板１４Ａ，１４Ｂとねじ１４Ｃ，１４Ｄ，１４Ｅ，１４Ｆを用いて、上部ポール１３Ｂに例えば２箇所で固定されている。保護ケース１４は、図４に示したように、圧力測定部すなわち圧力センサ１５を収納する圧力測定室１４Ｇと、圧力センサ１５を制御するための制御機器や電源等を含む制御部１８を収納する制御室１４Ｈとを有している。圧力測定室１４Ｇが下方に、制御室１４Ｈは上方に設けられ、制御室１４Ｈは圧力測定室１４Ｇから分離されている。これにより、圧力制御室１４Ｇ内の圧力センサ１５に達したガスが制御室１４Ｈに侵入するのを防ぎ、安全性を高めることができる。なお、圧力測定室１４Ｇと制御室１４Ｈとにはそれぞれ扉１４Ｇ１，１４Ｈ１、および排気孔１４Ｇ２，１４Ｈ２が設けられている。
【００１７】
また、保護ケース１４は、内部の圧力センサ１５や制御部１８が外から見えないように例えば全体が金属により構成されているので、電波を通すことはできない。しかし、制御部１８と外部との間で例えば簡易型携帯電話システム（Personal Handy Phone system ；ＰＨＳ）による通信を可能とするため、図３（Ｃ）に示したように、制御室１４Ｈには通信用の窓１４Ｈ３が設けられている。この通信用の窓１４Ｈ３は、非金属材料、例えば透明プラスチック板を用いて形成されており、電波を通過させることができる。通信用の窓１４Ｈ３の位置や大きさは任意に定めることができる。例えば、通信用の窓１４Ｈ３を扉１４Ｈ１に設けても良い。
【００１８】
なお、制御部１８等の状態を梯子等に登ることなく地上で確認するため、制御部１８から図示しないケーブルを中空部１３Ｃ内に配設し、下部ポール１３Ａののぞき窓１３Ｄを外して携帯型パーソナルコンピュータなどを接続することができるようにしてもよい。
【００１９】
図５は、下部ポール１３Ａ、支持部１２およびその周辺の中空部１３Ｃ内の導圧管１７を示す断面図である。下部ポール１３Ａの下端１３Ｐは、例えば溶接により基板（ベースプレート）１３Ｑに固定されている。基板１３Ｑは、支持基礎１１に埋め込まれた図示しないアンカーボルトにねじ止めにより固定されている。支持部１２の上面１２Ｂには、基板１３Ｑが、ヒンジ部１３Ｒとねじ１３Ｓとにより固定されている。したがって、基板１３Ｑは、ねじ１３Ｓを外すことにより、ヒンジ部１３Ｒを中心として二点鎖線で示した曲線１３Ｔで示した方向に、二点鎖線で示した各位置１３Ｔ１，１３Ｔ２のように例えば９０°まで可倒となっており、部品交換や修理等に便宜である。
【００２０】
なお、導圧管１７には、アース棒１７Ｃが取り付けられている。また、中空部１３Ｃ内には、図示しない安定器等を取り付けるために、スライド金具１３Ｕと安定器受部１３Ｖとが設けられている。
【００２１】
このように本実施の形態によれば、ポール１３の内部を中空部１３Ｃとし、この中空部１３Ｃ内に導圧管１７の地上に現れた部分１７Ｂおよび弁１７Ａを収納するようにしたので、すっきりした外観の単純な構成となり、公道上などの公共の土地に設置されていても事故や怪我などの虞がなく、故意に破損される虞もない。また、保護ケース１４は、圧力センサ１５を収納する圧力測定室１４Ｇと制御部１８を収納する制御室１４Ｈとに分離した構成を有しているので、制御部１８の電気機器がガスに晒されることがなく、安全性が高い。
【００２２】
また、電力線１３Ｆおよび電話線１３Ｇは、上部ポール１３Ｂの外表面１３Ｈに沿って配設されるので、電力線１３Ｆおよび電話線１３Ｇもガスに晒されることはなく、安全である。なお、このように電力線１３Ｆおよび電話線１３Ｇを上部ポール１３Ｂの外表面１３Ｈに沿って配設しても、保護ケース１４が十分な高さに固定されていれば事故等の虞はない。さらに、制御室１４Ｈには、電波を通過させることのできる通信用の窓１４Ｈ３が設けられているので、電波は通信用の窓１４Ｈ３を通って保護ケース１４の内外を行き来することができ、これにより、金属製の保護ケース１４内に収納されている制御部１８と外部との通信が可能となる。
【００２３】
ポール１３は、基板１３Ｑを用いて、支持部１２に対して可倒であるように固定されているので、部品交換や修理等に便宜である。また、導圧管１７は支持基礎１１を貫通してポール１３に収納されるように配設されるので、支持基礎１１により導圧管１７を保護することができる。
【００２４】
以上、実施の形態を挙げて本発明を説明したが、本発明は上記実施の形態に限定されるものではなく、種々変形可能である。例えば、上記実施の形態では、圧力測定装置１０を公道の隅などに設置する場合について説明したので、ポール１３の全体の長さを数ｍ程度とし、保護ケース１４を上部ポール１３Ｂ上の適当な高さ位置に固定している。しかし、例えば需要家の家屋敷地内などに設置する場合には、ポール１３の高さは数１０ｃｍでもよく、保護ケース１４を地表面近くに設置してもよい。
【００２５】
【発明の効果】
以上説明したように請求項１ないし請求項５のいずれか１項に記載の圧力測定装置によれば、柱管部の内部を中空部とし、この中空部内に導圧管の地上に現れた部分および弁を収納するようにしたので、すっきりした外観の単純な構成となり、公道上などの公共の土地に設置されていても事故や怪我などの虞がなく、故意に破損される虞もない。また、保護ケースは、圧力測定部を収納する圧力測定室と制御部を収納する制御室とに分離した構成を有しているので、制御部の電気機器がガスに晒されることがなく、安全性が高い。
【００２６】
特に、請求項２記載の圧力測定装置によれば、電力線および電話線が、柱管部の外表面に沿って配設されるので、電力線および電話線もガスに晒されることはなく、安全である。
【００２７】
また、特に、請求項３記載の圧力測定装置によれば、制御室には、外部との通信のための、電波を通過させることのできる窓が設けられているので、電波は窓を通って保護ケースの内外を行き来することができ、これにより、制御部と外部との通信が可能となる。
【００２８】
加えて、特に、請求項４記載の圧力測定装置によれば、柱管部を支持するための支持部が地表面に設けられており、柱管部は、支持部に対して可倒であるように固定されているので、部品交換や修理等に便宜である。
【００２９】
また、特に、請求項５記載の圧力測定装置によれば、導圧管は、埋設管から支持基礎を貫通して柱管部に収納されるように配設されるので、支持基礎により導圧管を保護することができる。
【図面の簡単な説明】
【図１】本発明の一実施の形態に係る圧力測定装置の全体の外観を表す正面図である。
【図２】図１のＩＩ−ＩＩ線に沿った断面図である。
【図３】図１に示した保護ケースの外観を表す図であり、（Ａ）は平面図、（Ｂ）は正面図、（Ｃ）は右側面図である。
【図４】図１に示した保護ケースの内部の概略を示す正面図である。
【図５】図１に示した下部ポール、支持部およびその周辺の中空部内の導圧管を示す断面図である
【図６】従来の圧力測定装置の一構成例を表す図である。
【符号の説明】
１０…圧力測定装置、１１…支持基礎、１２…支持部、１３…ポール、１３Ａ…下部ポール、１３Ｂ…上部ポール、１３Ｃ…中空部、１３Ｄ…のぞき窓、１３Ｅ…キャップ、１３Ｆ…電力線、１３Ｇ…電話線、１３Ｈ…外表面、１３Ｑ…基板（ベースプレート）、１４…保護ケース、１４Ｇ…圧力測定室、１４Ｈ…制御室、１４Ｈ３…通信用の窓、１５…圧力センサ、１６…埋設管、１７…導圧管、１７Ａ…弁、１７Ｂ…地上に現れた部分、１８…制御部
【図１】
0003933447.tif 000002
【図２】
0003933447.tif 000003
【図３】
0003933447.tif 000004
【図４】
0003933447.tif 000005
【図５】
0003933447.tif 000006
【図６】
0003933447.tif 000007